(57)【要約】  【課題】  分岐ユニットを用いて複数の室内機接続する多室型空気調和機において、分岐ユニットへの電源供給を簡易に行うことできる多室型空気調和機を提供する。  【解決手段】  室外機Ａと、分岐ユニットＢを介して複数の室内機Ｃ１・Ｃ２とを有して構成される多室型空気調和機において、分岐ユニットは冷媒流量を制御するための電装部１０を有するとともに、分岐ユニットへの電源を分岐ユニットに接続された室内機Ｃ１・Ｃ２より供給する。【選択図】  図１
2005083716.tif 000002
【特許請求の範囲】
【請求項１】
1台の室外機と、この室外機と接続される単数または複数の室内機とを有して構成される多室型空気調和機において、少なくとも1台の前記室内機が、電装部を有し冷媒流量を制御するための分岐ユニットを介して前記室外機と接続されるとともに、前記分岐ユニットの前記電装部に対してこの分岐ユニットに接続された室内機側から電源の供給を行なうことを特徴とする多室型空気調和機。
【請求項２】
室内機側から分岐ユニットの電源部へ供給される電源は、DC電圧であることを特徴とする、請求項１記載の多室型空気調和機。
【請求項３】
分岐ユニットは接続される複数の室内機から電源供給を行なうことができるように接続されていることを特徴とする、請求項１記載の多室型空気調和機。
【請求項４】
分岐ユニットには単数または複数の室内機が接続されており、前記分岐ユニットへの電源供給は停止状態にある室内機から行なうことを特徴とする、請求項１記載の多室型空気調和機。
【発明の詳細な説明】
【技術分野】
【０００１】
本発明は、多室型空気調和機に関するものであり、詳しくは電装部を有するとともに室外機から導かれる冷媒管路を分岐して複数の室内機を接続可能な分岐ユニットへの電源供給に関するものである。
【背景技術】
【０００２】
従来の技術を図２を用いて説明する。圧縮機２５、四方弁２６、室外熱交換器２７を備えた１台の室外機Ａと、室内熱交換器３２を備えた少なくとも１台の室内機Ｃ１が、冷媒流量を制御する電装部品３４を有する分岐ユニットＢを介して室外機Ａと接続される多室型空気調和機において、室外機Ａ、室内機Ｃ1・Ｃ２にそれぞれ電源供給を行ない、分岐ユニットＢは、前記室外機Ａまたは、前記室内機Ｃ1・Ｃ２から電源供給されるのではなく、分岐ユニットＢに直接的に電源を供給する構成であった（例えば、特許文献１参照）。
【特許文献１】特開平９−４２７４６号公報
【発明の開示】
【発明が解決しようとする課題】
【０００３】
しかしながら、上記従来の多室型空気調和機では、分岐ユニットは通常屋根裏などに置かれるため、電源を供給するために屋根裏から電源を供給できるような工事が必要になるという課題を有していた。
【０００４】
本発明はこのような従来の課題を鑑みてなされたものであり、分岐ユニットの電源を室内機から供給することのできることを可能とした多室型空気調和機を提供することを目的とする。
【課題を解決するための手段】
【０００５】
上記課題を解決するために本発明の多室型空気調和機は、1台の室外機と、この室外機と接続される単数または複数の前記室内機とを有して構成される多室型空気調和機において、少なくとも1台の前記室内機が、冷媒流量を制御するための電装部品を有する分岐ユニットを介して室外機と接続されるとともに、分岐ユニットの前記電装部品に対して分岐ユニットに接続された室内機側から電源の供給を行なうようにしたものである。
【０００６】
また、本発明の多室型空気調和機は、１台の室外機と、この室外機と接続される単数または複数の室内機とを有して構成される多室型空気調和機において、少なくとも1台の室内機が、電装部品を有し冷媒流量を制御する分岐ユニットを介して室外機と接続されるとともに、分岐ユニットに接続された室内機側からＤＣ電圧を供給するようにしたものである。
【０００７】
また、1台の室外機と、この室外機と接続される単数または複数の室内機とを有して構成される多室型空気調和機において、少なくとも1台の室内機が、電装部品を有し冷媒流量を制御する分岐ユニットを介して室外機と接続されるとともに、分岐ユニットに接続された複数の室内機から電源供給を行なうことができるように接続したものである。
【０００８】
また、1台の室外機と、この室外機と接続される単数または複数の室内機とを有して構成される多室型空気調和機において、少なくとも1台の室内機が、電装部品を有し冷媒流量を制御する分岐ユニットを介して室外機と接続されるとともに、分岐ユニットの電装部
品に対して分岐ユニットに接続された複数の室内機の中の停止状態にある室内機から分岐ユニットへの電源供給を行なうようにしたものである。
【０００９】
上記の構成をなすことによって、分岐ユニットの電源供給工事を省略することができる。
【発明の効果】
【００１０】
本発明の多室型空気調和機は、電源供給と通信の両立を実現し、分岐ユニットに対して電源供給を行なうための電気工事などが不要になる効果がある。
【発明を実施するための最良の形態】
【００１１】
第１の発明は、1台の室外機Ａと、この室外機Ａと接続される複数の室内機Ｃ１・Ｃ２とを有して構成される多室型空気調和機において、少なくとも1台の室内機が、電装部品を有し冷媒流量を制御する分岐ユニットＢを介して室外機Ａと接続されるとともに、分岐ユニットＢの電装部品に対して分岐ユニットに接続された室内機Ｃ１・Ｃ２から電源の供給を行なうことができる構成にしたものである。
【００１２】
この構成により、分岐ユニットへの電源供給を考慮する必要がなくなるため、分岐ユニットをどのような場所に設置した場合でも室内機から電源供給を行なうことにより、電気工事などが不必要になる効果がある。
【００１３】
また、第２の発明は、1台の室外機と、この室外機と接続される単数または複数の室内機とを有して構成される多室型空気調和機において、少なくとも1台の室内機が、電装部品を有し冷媒流量を制御する分岐ユニットＢを介して室外機Ａと接続されるとともに、分岐ユニットの電装部品に対して分岐ユニットに接続された室内機側からＤＣ電圧を供給する構成にしたものである。
【００１４】
この構成により、分岐ユニットへの電源供給を考慮する必要がなくなるため、分岐ユニットをどのような場所に設置した場合でも室内機から電源供給を行なうことにより、電気工事などが不必要になる効果がある。
【００１５】
また、第３の発明は、1台の室外機と、この室外機と接続される単数または複数の室内機とを有して構成される多室型空気調和機において、少なくとも1台の室内機が、電装部品を有し冷媒流量を制御する分岐ユニットＢを介して室外機Ａと接続されるとともに、分岐ユニットの電装部品に対して分岐ユニットに接続された複数の室内機から電源供給を行なうことができる構成としたものである。
【００１６】
この構成により、分岐ユニットへの電源供給を考慮する必要がなくなるため、分岐ユニットをどのような場所に設置した場合でも室内機から電源供給を行なうことにより、電気工事などが不必要になる効果がある。
【００１７】
また、第４の発明は、1台の室外機と、この室外機と接続される単数または複数の室内機とを有して構成される多室型空気調和機において、少なくとも1台の室内機が、電装部品を有し冷媒流量を制御する分岐ユニットを介して室外機と接続されるとともに、分岐ユニットの電装部品に対して分岐ユニットに接続された複数の室内機の中の停止状態にある室内機から分岐ユニットへの電源供給を行なう構成としたものである。
【００１８】
この構成により、分岐ユニットへの電源供給を考慮する必要がなくなるため、分岐ユニットをどのような場所に設置した場合でも室内機から電源供給を行なうことにより、電気工事などが不必要になる効果がある。
【００１９】
以下、本発明の実施の形態について、図面を参照しながら説明する。なお、この実施の形態によって本発明が限定されるものではない。
【００２０】
（実施の形態１）
図１は、本発明の多室型空気調和機の構成を示す。室外機Ａの電子制御部９、室内機Ｃ１・Ｃ２の電子制御部１１・１２はそれぞれ電源供給を受けることができる構成となっている。
【００２１】
1台の室外機Ａと、この室外機Ａと接続される複数の室内機Ｃ１・Ｃ２とを有して構成される多室型空気調和機において、少なくとも1台の室内機が、分岐ユニットＢにおいて冷媒流量を制御するための電装部品を有する分岐ユニットを介して室外機Ａと接続されるとともに、分岐ユニットＢの電装部品に対して分岐ユニットに接続された室内機Ｃ１・Ｃ２から電源供給を行なうことができる構成にした。具体的には、室内機Ｃ１・Ｃ２と分岐ユニットＢを結ぶ通信線にＡＣの電源を重畳させることにより、電源供給と通信の両立を実現し、分岐ユニットに対して電源供給を行なうための電気工事などが不必要になる効果がある。
【産業上の利用可能性】
【００２２】
以上のように、本発明にかかる多室型空気調和機は、分岐ユニットと空気調和機本体の電源供給と通信の両立を実施し、分岐ユニットに対して電源供給を行うための電気工事が不要となるので、ビル空調のシステムにも応用することができる。
【図面の簡単な説明】
【００２３】
【図１】本発明の実施の形態１の多室型空気調和機の構成を示す図
【図２】従来の多室型空気調和機の構成を示す図
【符号の説明】
【００２４】
１  圧縮機
２  四方弁
３  室外熱交換器
４、５、６  膨張弁
７、８  室内熱交換器
９  室外電子制御部
１０  分岐ユニット電子制御部
１１、１２  室内電子制御部
１３〜２４  冷媒配管接続部
【図１】
2005083716.tif 000003
【図２】
2005083716.tif 000004